(57)【要約】【課題】  フルメッシュ光ＷＤＭ伝送システムにおいて波長チャネルを効率的に利用する【解決手段】  波長周回性８×８光合分波回路１０１ａの８個の出力チャネル（ｐ）からの８波多重された光は、光配線部１０１ｂによって、出力チャネル（ｐ）（ｐ＝１〜７）からの光が出力ポート（８−ｐ）に割り当てられ、出力チャネル（８）からの光が出力ポート（８）に割り当てられる。そして各８波多重された光は、８本の出力ポート（１）〜（８）から出力ノードのＮｏ．１〜Ｎｏ．８のＷＤＭ送受信装置の各々に対して出力される。波長ルーティングされて入力ノードと出力ノードが同一の同じＷＤＭ送受信装置に戻る光信号の波長、即ち自己回帰波長（ループバック波長）が、常にλ８（i＝８の光信号Ａi〜Ｈiの波長）に設定される。受光素子の受光感度の特性上、最も長波長のλ８で受光感度が劣化し、λ８の波長チャネルで通信品質が悪化しても、実質的な問題はない。【選択図】  図１
2005072812.tif 000002
【特許請求の範囲】
【請求項１】
入力ポート及び該入力ポートと対の出力ポートから成る１組の入出力ポートを複数組有し、入力ポートに入力された、複数の光信号が多重化された光を、各光信号に分波し、当該分波した光信号を所定の出力ポートから出力するために複数合波して多重化し、当該多重化して得た光を前記所定の出力ポートから出力する光合分波装置と、
該光合分波装置の前記１組の入出力ポートに接続されており、複数の光信号が多重化された第１の光を接続されている前記１組の入出力ポートの入力ポートへ送信し、該入力ポートと対の出力ポートから複数の光信号が多重化された第２の光を受信する送受信装置であって、複数の前記送受信装置と
を備えた光ＷＤＭ伝送ネットワークシステムにおいて、
前記光合分波装置は、
異なる入力ポートに入力された複数の同じ波長の光信号を、各々異なる出力ポートから出力し、
前記送受信装置から前記１組の入出力ポートの入力ポートへ入力された後、該入力ポートと対の出力ポートから出力可能な光信号の波長が、前記１組の入出力ポートの複数組全てについて同一の波長となっている
ことを特徴とする光ＷＤＭ伝送ネットワークシステム。
【請求項２】
請求項１に記載の光ＷＤＭ伝送ネットワークシステムにおいて、
前記同一の波長は、前記送受信装置に内蔵されている受光素子の受光感度が最も小さい波長である
ことを特徴とする光ＷＤＭ伝送ネットワークシステム。
【請求項３】
請求項１に記載の光ＷＤＭ伝送ネットワークシステムにおいて、
前記光合分波装置は、
広波長帯域の複数の光信号を増幅するために、連続する２つの波長帯域の各々に対応する２つの光増幅装置を含む光増幅手段を有し、
前記同一の波長は、前記連続する２つの波長帯域の境にあって、前記２つの光増幅装置のいずれにも増幅されずに前記光増幅手段から出力されない光信号の波長である
ことを特徴とする光ＷＤＭ伝送ネットワークシステム。
【請求項４】
入力ポート及び該入力ポートと対の出力ポートから成る１組の入出力ポートを複数組有し、入力ポートに入力された、複数の光信号が多重化された光を、各光信号に分波し、当該分波した光信号を所定の出力ポートから出力するために複数合波して多重化し、当該多重化して得た光を前記所定の出力ポートから出力する光合分波装置と、
該光合分波装置の前記１組の入出力ポートに接続されており、複数の光信号が多重化された第１の光を接続されている前記１組の入出力ポートの入力ポートへ送信し、該入力ポートと対の出力ポートから複数の光信号が多重化された第２の光を受信する送受信装置であって、複数の前記送受信装置と
を備えた光ＷＤＭ伝送ネットワークシステムで使用される光合分波装置において、
異なる入力ポートに入力された複数の同じ波長の光信号を、各々異なる出力ポートから出力し、
前記送受信装置から前記１組の入出力ポートの入力ポートへ入力された後、該入力ポートと対の出力ポートから出力可能な光信号の波長が、前記１組の入出力ポートの複数組全てについて同一の波長となっている
ことを特徴とする光合分波装置。
【請求項５】
請求項４に記載の光合分波装置において、
前記同一の波長は、前記送受信装置に内蔵されている受光素子の受光感度が最も小さい波長である
ことを特徴とする光合分波装置。
【請求項６】
請求項４に記載の光合分波装置において、
広波長帯域の複数の光信号を増幅するために、連続する２つの波長帯域の各々に対応する２つの光増幅装置を含む光増幅手段を有し、
前記同一の波長は、前記連続する２つの波長帯域の境にあって、前記２つの光増幅装置のいずれにも増幅されずに前記光増幅手段から出力されない光信号の波長である
ことを特徴とする光合分波装置。
【発明の詳細な説明】
【技術分野】
【０００１】
本発明は、光ＷＤＭ伝送ネットワークシステム及びその光合分波装置に関し、より詳細には、光波長多重された複数の光信号を、波長に応じて分波または合波する光合分波装置を使用した光ＷＤＭ伝送ネットワークシステム及びその光合分波装置に関する。
【背景技術】
【０００２】
複数の光信号を異なる周波数（波長）に割り当て１本の光ファイバで伝送する光波長分割多重（ＷＤＭ；wavelength division multiplexing）伝送システムは、伝送路の容量を大幅に増大することが可能である。既に、基幹系システムを中心に波長間隔が１００ＧＨｚ程度のdense-ＷＤＭ（ＤＷＤＭ）システムが導入されてきている。
【０００３】
近年、光信号の波長を単純なファイバ容量増大に適用するだけでなく、ネットワークの自由度向上に用いる検討も進んでおり、その一例としてフルメッシュ光ＷＤＭネットワークがある。図５に示すようなフルメッシュ光ＷＤＭネットワーク１０１は、λ１〜λＮの波長のＮ個の光信号を送受信するＷＤＭ送受信装置を各々備えたＮ個のノード１０１−１〜１０１−Ｎ間を、それらのノードが接続されており、各ノードからのＮ個の光信号を波長ルーティングするＮ×Ｎ光合分波回路１０２を中心に、単純なスター状に光ファイバ１０３で接続する。これにより、全てのノード間をフルメッシュ接続することができるため、大容量データを低遅延で高速通信することが可能となる。
【０００４】
フルメッシュ光ＷＤＭネットワークは、入出力ポートに対して周期的な合分波特性を有する波長周回性Ｎ×Ｎ光合分波回路を利用したものであり、このＮ×Ｎ光合分波回路としては、波長周回性を有するアレイ導波路回折格子型波長ルータ（以下、ＡＷＧ（；arrayed waveguide grating）波長ルータ）が用いられる（例えば、特許文献１参照）。
【０００５】
図６は、その一例としての上記でＮ＝８とした場合の、従来の波長周回性８×８光合分波回路の説明図である。図６の波長周回性８×８光合分波回路２０１は、入力ポート数が入力ポート（Ａ）〜（Ｈ）の計８ポート、出力ポート数が出力ポート（１）〜（８）の計８ポート、番号がＮｏ．１〜Ｎｏ．８のうちの１つのＷＤＭ送受信装置と送受信する光信号が８個（波長数が８波長）、ＡＷＧ２０１ａの入力チャネル数×出力チャネル数が８×１５チャネルの場合を示している。Ｎｏ．１〜Ｎｏ．８のＷＤＭ送受信装置は、各々順に、入力ポート（Ａ）〜（Ｈ）及び出力ポート（１）〜（８）に接続されている。ここで、ＡＷＧ２０１ａの出力チャネル数を（２Ｎ−１）以上、言い換えればフリースペクトルレンジ（ＦＳＲ）を波長間隔Δλの（２Ｎ−１）倍以上に設定する必要がある。設計上の入出力ポート数またはＦＳＲを大きく設定するほど、出力における損失バラツキが抑制される。
【０００６】
図６を参照し、従来技術の動作原理を以下に説明する。入力ノードのＮｏ．１〜Ｎｏ．８のＷＤＭ送受信装置の各々から、８個の光信号が８波多重された光が、８×１５チャネルＡＷＧ２０１ａの８本の入力ポート（Ａ）〜（Ｈ）に入力される。ここで、下付数字ｉの付いたアルファベット文字Ａi〜Ｈi（ｉ≦８、ｉは自然数）は各々１つの光信号を表し、アルファベット文字のＡ〜Ｈは各光信号が入力する入力ポート（Ａ）〜（Ｈ）に対応している。また、下付数字ｉは、光信号Ａi〜Ｈiの波長が、波長帯域内で波長間隔Δλの８個の光波長のうちの最短波長から数えてｉ番目の波長λiであることを示す、波長のＩＤ（識別番号）である。
【０００７】
従って、アルファベット文字が同じ光信号は同じ入力ポートに入射されたことを示し、下付数字ｉが同じ光信号は同じ波長であることを示す。ここでは、i＝１〜８の８種類の波長で、それらが入力ポート（Ａ）〜（Ｈ）の８ポート分、即ち８波長×８ポート＝６４個の異なる光信号（Ａ１、Ａ２、Ａ３、・・・Ｈ６、Ｈ７、Ｈ８）が伝搬していることになる。
【０００８】
８×１５チャネルＡＷＧ２０１ａは、波長間隔Δλの光信号を図２に示すような波長配置で分波するように中心波長及びチャネル間隔が設計されている。８×１５チャネルＡＷＧ２０１ａによって分波された光信号は、次に光配線２０１ｂに従って、８×１５チャネルＡＷＧ２０１ａの出力チャネル（ｋ）番と（ｋ＋８）番（ｋ≦１５、ｋは自然数）からの光信号が、入力チャネル数×出力チャネル数が２×１チャネルの光カプラ２０１ｃの１つで合流し、合流した光信号は光カプラ２０１ｃによって合波される。カプラ２０１ｃによって合波された光信号は、８本の出力ポート（１）〜（８）から出力され、出力ノードのＮｏ．１〜Ｎｏ．８のＷＤＭ送受信装置の各々に対して、８個の光信号が８波多重された光が出力される。
【０００９】
その結果、波長周回性８×８光合分波回路２０１について、入出力ポートに対して、即ち入力ノードのＷＤＭ送受信装置と出力ノードのＷＤＭ送受信装置との関係において、図７に示す周期的な合分波特性を有する波長周回性が実現される。ここで、波長周回性とは、複数（Ｎ）の入力ポート及び複数（Ｎ）の出力ポートを有する光合分波回路において、異なる入力ポートから入力された同じ波長の光信号が過不足なく必ず異なる出力ポートから出力され、入力ポートから入力される光信号は出力ポートから出力される光信号と一定の規則に従って一対一に対応している光合分波特性のことである（例えば、光信号Ａi〜Ｈiのうちi＝８の光信号等）。
【００１０】
一定の規則とは、詳しくは図７に示した例のように、入力ノードのＷＤＭ送受信装置番号が１ずれると、各出力ノードのＷＤＭ送受信装置番号に割り当てられる波長が周回的に入れ換わるような特性を意味する。例えば、図７において、入力ノードのＷＤＭ送受信装置番号が１、２、３・・・とずれると、出力ノードのＷＤＭ送受信装置番号Ｎｏ．５に割り当てられる光信号がＡ６、Ｂ７、Ｃ８、Ｄ１、Ｅ２、Ｆ３・・・と、即ち波長がλ６、λ７、λ８、λ１、λ２、λ３・・・と周回的に入れ換わる。
【００１１】
ここで、Coarse-ＷＤＭ（ＣＷＤＭ）とdense-ＷＤＭ（ＤＷＤＭ）は、各々波長間隔が２０ｎｍ程度と０．８ｎｍ（１００ＧＨｚ）程度と異なっており、ＣＷＤＭは低コストを特徴としてアクセス系やイントラネットで使われ、ＤＷＤＭは波長数の数を活かして長距離基幹系で使われている。以上の波長周回性光合分波回路は、ポート間の損失偏差が少なく波長チャネルのグリッドずれも無いため、アクセス・イントラネット系に代表されるＣＷＤＭシステムから基幹系等のＤＷＤＭシステムまでの広い通信適用領域におけるフルメッシュ光ＷＤＭネットワークでの応用が期待されている。
【００１２】
しかしながら、ＣＷＤＭシステムでは使用する波長間隔が２０ｎｍと広く、８波長の場合では１４７０〜１６１０ｎｍと広範囲に及ぶ。このような広波長範囲では、ＷＤＭ送受信装置の受光素子の特性が一定にならず波長依存性が生じてしまう。図８は、ＣＷＤＭ波長における受光素子の受光感度特性の例である。一般的に、受光素子の感度は１６００ｎｍ近傍で劣化してしまい、最も長波長のλ８では受光感度が１ｄＢ近く劣化してしまうことがあった。この問題により、例えば図７で網掛けしたλ８の波長チャネル（光信号Ａi〜Ｈiのうちi＝８の光信号）では通信品質が悪化する問題があった。
【００１３】
一方、ＤＷＤＭシステムにおいては、波長間隔が１００〜４００ＧＨｚと狭いことから受光感度の波長依存性の影響は小さい。しかし、ＤＷＤＭシステムは長距離システムに使われることが多く、光ファイバアンプを利用することが多い。例えば、４００ＧＨｚ（波長換算：３．２６ｎｍ）間隔２０波程度のシステムである従来の波長周回性２０×２０光合分波回路では、図９のようにＣ帯（Conventional Band）用光ファイバアンプ９０１ａとＬ帯（Long Wavelength Band）用光ファイバアンプ９０１ｂを組み合わせた広波長帯域対応の光ファイバアンプ９０１が使われる。その際、光ファイバアンプ９０１内では、２種類の光ファイバアンプ９０１ａ、９０１ｂを組み合わせるために、Ｃ帯及びＬ帯の光信号を分波する光フィルタである分波用ＷＤＭカプラ９０１ｃと、それら光信号を合波する光フィルタである合波用ＷＤＭカプラ９０１ｄが使われる。
【００１４】
上述の従来の波長周回性２０×２０光合分波回路は、図６中の波長周回性８×８光合分波回路２０１を２０×２０に拡張すれば実現される。より詳細には、入力ノードのＮｏ．１〜Ｎｏ．２０のＷＤＭ送受信装置の各々から、２０個の光信号が２０波多重された光が、２０本の入力ポート（Ａ）〜（Ｔ）に入力される。ここで、下付数字ｉの付いたアルファベット文字Ａi〜Ｔi（ｉ≦２０、ｉは自然数）の扱いは、上述の波長周回性８×８光合分波回路２０１の場合と同様である。図６中の８×１５チャネルＡＷＧ２０１ａを２０×３９チャネルＡＷＧに拡張し、そのＡＷＧの出力を２０個の光カプラで合波して得た光信号が２０本の出力ポートから出力され、波長周回性２０×２０光合分波回路の出力となる。
【００１５】
２０本の出力ポートに出力ノードのＮｏ．１〜Ｎｏ．２０のＷＤＭ送受信装置が接続されるが、この場合一般的に、図９に示した光ファイバアンプ９０１は、出力ポートとそれに接続されるＷＤＭ送受信装置との間に実装され、各出力ポートからの光信号が増幅される。ここで、図１０は、上述の従来の波長周回性２０×２０光合分波回路における、４００ＧＨｚ間隔ＷＤＭの波長グリッドを示す図である。光ファイバアンプ９０１内では、上述のように分波用ＷＤＭカプラ９０１ｃと合波用ＷＤＭカプラ９０１ｄが使われるが、図１０に示すように、Ｃ帯用光ファイバアンプ帯域１００１とＬ帯用光ファイバアンプ帯域１００２との境に、３ｎｍ程度のガードバンド１００３が生じてしまう。ここで、分波用ＷＤＭカプラ９０１ｃが理想的に急峻な波長フィルタ特性を持っていないために、Ｃ帯またはＬ帯のいずれにも分波できない波長域をガードバンドと呼んでいる。従って、理想的なフィルタ特性が実現できないためにガードバンドが生じてしまう。ガードバンド１００３のために、例えばチャネル１１（λ１１の波長チャネル）の波長が光ファイバアンプ９０１内でガードされて出力されず使えないことになる。
【００１６】
上述の従来の波長周回性２０×２０光合分波回路においても、図１１に示すように、入力ノードのＷＤＭ送受信装置と出力ノードのＷＤＭ送受信装置との関係において、周期的な合分波特性を有する波長周回性が実現されるが、上述のガードバンド１００３のために、例えば図１１で網掛けしたλ１１の波長チャネル（光信号Ａi〜Ｔiのうちi＝１１の光信号）のパス設定が出来ない。即ち、特定のノード間の通信が出来ないことになり、フルメッシュＷＤＭネットワークシステム構成上の問題になっていた。
【００１７】
【特許文献１】特開平９−１０５８２８号公報
【発明の開示】
【発明が解決しようとする課題】
【００１８】
従来のフルメッシュ光ＷＤＭ伝送システムは、上述したように波長チャネルが十分効率的に利用されていないという点において、さらなる改善が望まれている。
【００１９】
本発明は、このような課題に鑑みてなされたもので、その目的とするところは、フルメッシュ光ＷＤＭ伝送システムにおいて波長チャネルを効率的に利用する光ＷＤＭ伝送ネットワークシステム及びその光合分波装置を提供することにある。
【課題を解決するための手段】
【００２０】
このような目的を達成するために、本発明の光ＷＤＭ伝送ネットワークシステムは、入力ポート及び該入力ポートと対の出力ポートから成る１組の入出力ポートを複数組有し、入力ポートに入力された、複数の光信号が多重化された光を、各光信号に分波し、当該分波した光信号を所定の出力ポートから出力するために複数合波して多重化し、当該多重化して得た光を前記所定の出力ポートから出力する光合分波装置と、該光合分波装置の前記１組の入出力ポートに接続されており、複数の光信号が多重化された第１の光を接続されている前記１組の入出力ポートの入力ポートへ送信し、該入力ポートと対の出力ポートから複数の光信号が多重化された第２の光を受信する送受信装置であって、複数の前記送受信装置とを備えた光ＷＤＭ伝送ネットワークシステムであって、前記光合分波装置は、異なる入力ポートに入力された複数の同じ波長の光信号を、各々異なる出力ポートから出力し、前記送受信装置から前記１組の入出力ポートの入力ポートへ入力された後、該入力ポートと対の出力ポートから出力可能な光信号の波長が、前記１組の入出力ポートの複数組全てについて同一の波長となっていることを特徴とする。
【００２１】
また、上記目的を達成するために、本発明の光合分波装置は、入力ポート及び該入力ポートと対の出力ポートから成る１組の入出力ポートを複数組有し、入力ポートに入力された、複数の光信号が多重化された光を、各光信号に分波し、当該分波した光信号を所定の出力ポートから出力するために複数合波して多重化し、当該多重化して得た光を前記所定の出力ポートから出力する光合分波装置と、該光合分波装置の前記１組の入出力ポートに接続されており、複数の光信号が多重化された第１の光を接続されている前記１組の入出力ポートの入力ポートへ送信し、該入力ポートと対の出力ポートから複数の光信号が多重化された第２の光を受信する送受信装置であって、複数の前記送受信装置とを備えた光ＷＤＭ伝送ネットワークシステムで使用される光合分波装置であって、異なる入力ポートに入力された複数の同じ波長の光信号を、各々異なる出力ポートから出力し、前記送受信装置から前記１組の入出力ポートの入力ポートへ入力された後、該入力ポートと対の出力ポートから出力可能な光信号の波長が、前記１組の入出力ポートの複数組全てについて同一の波長となっていることを特徴とする。
【００２２】
ここで、前記同一の波長は、前記送受信装置に内蔵されている受光素子の受光感度が最も小さい波長であることを特徴とすることができる。
【００２３】
また、前記光合分波装置は、広波長帯域の複数の光信号を増幅するために、連続する２つの波長帯域の各々に対応する２つの光増幅装置を含む光増幅手段を有し、前記同一の波長は、前記連続する２つの波長帯域の境にあって、前記２つの光増幅装置のいずれにも増幅されずに前記光増幅手段から出力されない光信号の波長であることを特徴とすることができる。
【発明の効果】
【００２４】
以上説明したように本発明によれば、フルメッシュＷＤＭ伝送システムにおいて、波長チャネルを効率的に利用できる。
【発明を実施するための最良の形態】
【００２５】
以下、図面を参照して本発明の実施形態を詳細に説明する。なお、各図面において同様の機能を有する箇所には同一の符号を付し、説明の重複は省略する。
【００２６】
（実施形態１）  
図１は、上述の図５に示したような従来のフルメッシュ光ＷＤＭネットワークに適用可能な、本発明の実施形態１のＣＷＤＭシステムに用いる波長周回性８×８光合分波装置の概略構成図である。波長周回性８×８光合分波装置１０１は、波長周回性８×８光合分波回路１０１ａ、光配線部１０１ｂ等を有し、入力ポート数が入力ポート（Ａ）〜（Ｈ）の計８ポート、出力ポート数が出力ポート（１）〜（８）の計８ポート、番号がＮｏ．１〜Ｎｏ．８のうちの１つのＷＤＭ送受信装置と送受信する光信号が８個（波長数が８波長）の場合を示している。Ｎｏ．１〜Ｎｏ．８のＷＤＭ送受信装置は、各々順に、入力ポート（Ａ）〜（Ｈ）及び出力ポート（１）〜（８）に接続されている。波長周回性８×８光合分波回路１０１ａは、図６を参照して説明した前述の従来の波長周回性８×８光合分波回路２０１と同様な回路である。
【００２７】
即ち、入力ノードのＮｏ．１〜Ｎｏ．８のＷＤＭ送受信装置の各々から、８個の光信号が８波多重された光が、波長周回性８×８光合分波回路１０１ａ内の８×１５チャネルＡＷＧの８本の入力ポート（Ａ）〜（Ｈ）に入力される。ここで、下付数字ｉの付いたアルファベット文字Ａi〜Ｈi（ｉ≦８、ｉは自然数）は各々１つの光信号を表し、アルファベット文字のＡ〜Ｈは各光信号が入力する入力ポート（Ａ）〜（Ｈ）に対応している。また、下付数字ｉは、光信号Ａi〜Ｈiの波長が、波長帯域内で波長間隔Δλの８個の光波長のうちの最短波長から数えてｉ番目の波長λiであることを示す、波長のＩＤ（識別番号）である。
【００２８】
従って、アルファベット文字が同じ光信号は同じ入力ポートに入射されたことを示し、下付数字ｉが同じ光信号は同じ波長であることを示す。ここでは、i＝１〜８の８種類の波長で、それらが入力ポート（Ａ）〜（Ｈ）の８ポート分、即ち８波長×８ポート＝６４個の異なる光信号（Ａ１、Ａ２、Ａ３、・・・Ｈ６、Ｈ７、Ｈ８）が伝搬していることになる。
【００２９】
波長周回性８×８光合分波回路１０１ａの８個の出力チャネル（ｐ）（ｐ≦８、ｐは自然数）の各々からは、８個の光信号が８波多重された光が出力される。ここで、波長周回性８×８光合分波回路１０１ａは、前述の従来の波長周回性８×８光合分波回路２０１と同様な図７を参照して説明した合分波特性を有している。その結果、波長周回性８×８光合分波回路１０１ａは、図７において出力ノードのＷＤＭ送受信装置を出力チャネル（ｐ）と読み替えた場合の図７に相当する、入力ノードのＷＤＭ送受信装置と出力チャネル（ｐ）との関係における周期的な合分波特性を有する波長周回性を実現する。
【００３０】
波長周回性８×８光合分波回路１０１ａの８個の出力チャネル（ｐ）からの８波多重された光は、光配線部１０１ｂによって、出力チャネル（ｐ）（ｐ＝１〜７）からの光が出力ポート（８−ｐ）に割り当てられ、出力チャネル（８）からの光が出力ポート（８）に割り当てられる。そして各８波多重された光は、８本の出力ポート（１）〜（８）から出力ノードのＮｏ．１〜Ｎｏ．８のＷＤＭ送受信装置の各々に対して出力される。
【００３１】
その結果、波長周回性８×８光合分波装置１０１について、入出力ポートに対して、即ち入力ノードのＷＤＭ送受信装置と出力ノードのＷＤＭ送受信装置との関係において、図２に示す周期的な合分波特性を有する波長周回性が実現される。図２に示すように、波長ルーティングされて入力ノードと出力ノードが同一の同じＷＤＭ送受信装置に戻る図２で網掛けした光信号の波長、即ち自己回帰波長（ループバック波長）が、常にλ８（i＝８の光信号Ａi〜Ｈiの波長）に設定される。一般的に、自己回帰波長は、入力ノード及び出力ノードのＷＤＭ送受信装置と波長周回性８×８光合分波装置１０１との間で、光ファイバ断線などの障害監視に使われるため、高速信号の伝送に使われることはない。従って、ＣＷＤＭ波長における受光素子の受光感度の特性上、最も長波長のλ８で受光感度が劣化し、λ８の波長チャネル（光信号Ａi〜Ｈiのうちi＝８の光信号）で通信品質が悪化しても、実質的な問題はない。
【００３２】
このように本実施形態１により、受光感度が一番悪い波長をＷＤＭ送受信装置の自己回帰波長に設定し、１つのノードのＷＤＭ送受信装置と他のノードのＷＤＭ送受信装置との通信には受光感度の良い波長を割り当てることができ、システムの安定性向上や伝送距離の長延化を図ることが出来る。
【００３３】
尚、光配線部１０１ｂの接続は本実施形態１の構成に限定されるものではなく、また自己回帰波長もλ８に限定されることなく、光配線部１０１ｂの変更により他の波長を自己回帰波長に割り当てることが可能なことは自明であろう。
【００３４】
（実施形態２）  
図３は、上述の図５に示したような従来のフルメッシュ光ＷＤＭネットワークに適用可能な、本発明の実施形態２の４００ＧＨｚ間隔２０波のＤＷＤＭシステムにおける波長周回性２０×２０光合分波装置の概略構成図である。波長周回性２０×２０光合分波装置３０１は、波長周回性２０×２０光合分波回路３０１ａ、光配線部３０１ｂ等を有し、入力ポート数が入力ポート（Ａ）〜（Ｔ）の計２０ポート、出力ポート数が出力ポート（１）〜（２０）の計２０ポート、番号がＮｏ．１〜Ｎｏ．２０のうちの１つのＷＤＭ送受信装置と送受信する光信号が２０個（波長数が２０波長）の場合を示している。Ｎｏ．１〜Ｎｏ．２０のＷＤＭ送受信装置は、各々順に、入力ポート（Ａ）〜（Ｔ）及び出力ポート（１）〜（２０）に接続されている。
【００３５】
波長周回性２０×２０光合分波回路３０１ａは、図６を参照して説明した前述の従来の波長周回性８×８光合分波回路２０１を２０×２０に拡張すれば実現される。また、図９に示した前述の光ファイバアンプ９０１が、波長周回性２０×２０光合分波回路３０１ａの２０個の出力チャネル（ｐ）（ｐ≦２０、ｐは自然数）と光配線部３０１ｂとの間、又は光配線部３０１ｂと出力ポート（１）〜（２０）との間に実装され、それによって各出力チャネル（ｐ）からの光信号が、出力ポート（１）〜（２０）から出力される前に増幅される。
【００３６】
即ち、入力ノードのＮｏ．１〜Ｎｏ．２０のＷＤＭ送受信装置の各々から、２０個の光信号が２０波多重された光が、波長周回性２０×２０光合分波回路３０１ａ内の２０×３９チャネルＡＷＧの２０本の入力ポート（Ａ）〜（Ｔ）に入力される。ここで、下付数字ｉの付いたアルファベット文字Ａi〜Ｔi（ｉ≦２０、ｉは自然数）は各々１つの光信号を表し、アルファベット文字のＡ〜Ｔは各光信号が入力する入力ポート（Ａ）〜（Ｔ）に対応している。また、下付数字ｉは、光信号Ａi〜Ｔiの波長が、波長帯域内で波長間隔Δλの２０個の光波長のうちの最短波長から数えてｉ番目の波長λiであることを示す、波長のＩＤ（識別番号）である。
【００３７】
従って、アルファベット文字が同じ光信号は同じ入力ポートに入射されたことを示し、下付数字ｉが同じ光信号は同じ波長であることを示す。ここでは、i＝１〜２０の２０種類の波長で、それらが入力ポート（Ａ）〜（Ｔ）の２０ポート分、即ち２０波長×２０ポート＝４００個の異なる光信号（Ａ１、Ａ２、Ａ３、・・・Ｔ６、Ｔ７、Ｔ８）が伝搬していることになる。
【００３８】
波長周回性２０×２０光合分波回路３０１ａの２０個の出力チャネル（ｐ）（ｐ≦２０、ｐは自然数）の各々からは、２０個の光信号が２０波多重された光が出力される。ここで、波長周回性２０×２０光合分波回路３０１ａは、前述の従来の波長周回性２０×２０光合分波回路と同様な図１１を参照して説明した合分波特性を有している。その結果、波長周回性２０×２０光合分波回路３０１ａは、図１１において出力ノードのＷＤＭ送受信装置を出力チャネル（ｐ）と読み替えた場合の図１１に相当する、入力ノードのＷＤＭ送受信装置と出力チャネル（ｐ）との関係における周期的な合分波特性を有する波長周回性を実現する。
【００３９】
波長周回性２０×２０光合分波回路３０１ａの２０個の出力チャネル（ｐ）からの２０波多重された光は、光配線部３０１ｂによって、出力チャネル（ｐ）（ｐ＝１〜１０）からの光が出力ポート（１１−ｐ）に割り当てられ、出力チャネル（ｐ）（ｐ＝１１〜２０）からの光が出力ポート（３１−ｐ）に割り当てられる。その後、入出力ポート番号と同じ送受信装置を接続する。そして各２０波多重された光は、２０本の出力ポート（１）〜（２０）から出力ノードのＮｏ．１〜Ｎｏ．２０のＷＤＭ送受信装置の各々に対して出力される。
【００４０】
その結果、波長周回性２０×２０光合分波装置３０１について、入出力ポートに対して、即ち入力ノードのＷＤＭ送受信装置と出力ノードのＷＤＭ送受信装置との関係において、図４に示す周期的な合分波特性を有する波長周回性が実現される。図４に示すように、波長ルーティングされて入力ノードと出力ノードが同一の同じＷＤＭ送受信装置に戻る図４で網掛けした光信号の波長、即ち自己回帰波長（ループバック波長）が、常に前述した光ファイバアンプ９０１のガードバンドの波長であるλ１１（i＝１１の光信号Ａi〜Ｔiの波長）に設定される。尚、前述の光ファイバアンプ９０１によって各出力チャネル（ｐ）からの光信号が出力ポート（１）〜（２０）から出力される前に増幅される過程で、波長が上述のガードバンドの波長λ１１である光信号は既に使用不能となっているため、図４に示す合分波特性においては、網掛けした自己回帰波長がλ１１の光信号（i＝１１の光信号Ａi〜Ｔi）はブランクとしている。
【００４１】
このように本実施形態２により、光ファイバアンプ９０１のガードバンドの波長λ１１以外の１９波を使って、１つのノードのＷＤＭ送受信装置と他のノードのＷＤＭ送受信装置と間の光パスを設定することが出来、実質的にフルメッシュＷＤＭネットワークを構成できる。ここで、論理的（上述の「２０×２０」）には、ＷＤＭ送受信装置が自分自身に通信する波長（自己回帰波長）も加えて、「フルメッシュ」を定義している。一般的に、自分自身と通信することは、自分の通信状態をモニターする場合などに使われる。よって、図３、４は、λ１１以外の１９波を使っているとしても、光ファイバアンプ９０１のガードバンドがなければ、ＷＤＭ送受信装置が自分自身への通信も出来る構成なので、２０×２０と定義してある。しかし、ＷＤＭ送受信装置が他ノードと通信するという観点では、自分自身との通信を不可としても、実質的には問題ない。このような意味において、実質的にフルメッシュＷＤＭネットワークを構成できる。
【００４２】
尚、光配線部３０１ｂの接続は本実施形態２の構成に限定されるものではなく、また自己回帰波長もλ１１に限定されることなく、異なったガートバンドの波長の場合においても光配線部３０１ｂの変更により他の波長を自己回帰波長に割り当てることが可能なことは自明であろう。
【図面の簡単な説明】
【００４３】
【図１】本発明の実施形態１のＣＷＤＭシステムに用いる波長周回性８×８光合分波装置の概略構成図である。
【図２】本発明の実施形態１における波長周回性８×８光合分波装置の合分波特性を示す図である。
【図３】本発明の実施形態２の４００ＧＨｚ間隔２０波のＤＷＤＭシステムにおける波長周回性２０×２０光合分波装置の概略構成図である。
【図４】本発明の実施形態２における波長周回性２０×２０光合分波装置の合分波特性を示す図である。
【図５】フルメッシュ光ＷＤＭネットワークの構成図である。
【図６】従来の波長周回性８×８光合分波回路の説明図である。
【図７】従来の波長周回性８×８光合分波回路における合分波特性を示す図である。
【図８】ＣＷＤＭ波長における受光素子特性を示す図である。
【図９】光ファイバアンプを示す図である。
【図１０】４００ＧＨｚ間隔ＷＤＭの波長グリッドを示す図である。
【図１１】従来の波長周回性２０×２０光合分波回路における合分波特性を示す図である。
【符号の説明】
【００４４】
１０１    波長周回性８×８光合分波装置
１０１ａ  波長周回性８×８光合分波回路
１０１ｂ  光配線部
３０１    波長周回性２０×２０光合分波装置
３０１ａ  波長周回性２０×２０光合分波回路
３０１ｂ  光配線部
１０１    フルメッシュ光ＷＤＭネットワーク
１０１−１〜１０１−ｎ  ノード
１０２    Ｎ×Ｎ光合分波回路
１０３    光ファイバ
２０１    波長周回性８×８光合分波回路
９０１    光ファイバアンプ
１００３  ガードバンド
【図１】
2005072812.tif 000003
【図２】
2005072812.tif 000004
【図３】
2005072812.tif 000005
【図４】
2005072812.tif 000006
【図５】
2005072812.tif 000007
【図６】
2005072812.tif 000008
【図７】
2005072812.tif 000009
【図８】
2005072812.tif 000010
【図９】
2005072812.tif 000011
【図１０】
2005072812.tif 000012
【図１１】
2005072812.tif 000013